(57)【要約】【課題】  洗浄剤をきめ細かくしっかりと泡立てることができる泡立て具を提供する。【解決手段】  本発明の泡立て具1は、支持部12と、支持部12に固定された複数の細長い柔軟性部材11とを備え、柔軟性部材11は、物体に対し押し当てられたときに物体の表面に沿って曲がるように変形可能な柔軟性を有し、支持部12が、柔軟性部材11を固定する固定部13と、持ち手部15と、持ち手部15を固定部13に対し自在に傾かせることが可能なように連結する連結部14とを備えてもよく、洗浄剤をきめ細かくしっかりと泡立てることを可能にする。【選択図】      図１
2015123173.tif 000002
【特許請求の範囲】
【請求項１】
支持部と、前記支持部に固定された複数の細長い柔軟性部材とを備え、
前記柔軟性部材は、物体に対し押し当てられたときに前記物体の表面に沿って曲がるように変形可能な柔軟性を有する、洗浄剤を泡立てるための泡立て具。
【請求項２】
前記支持部が、前記柔軟性部材を固定する固定部と、持ち手部と、前記持ち手部を前記固定部に対し自在に傾かせることが可能なように連結する連結部とを備える、請求項1に記載の泡立て具。
【請求項３】
前記柔軟性部材がシリコーン樹脂からなる、請求項1または2に記載の泡立て具。
【請求項４】
前記柔軟性部材の太さが3mm以上10mm以下である、請求項1〜3のいずれか1項に記載の泡立て具。
【請求項５】
前記柔軟性部材の長さが5cm以上20cm以下である、請求項1〜4のいずれか1項に記載の泡立て具。
【請求項６】
前記連結部がシリコーン樹脂からなる、請求項1〜5のいずれか1項に記載の泡立て具。
【発明の詳細な説明】
【技術分野】
【０００１】
本発明は、洗浄剤を泡立てるための泡立て具に関する。
【背景技術】
【０００２】
顔などの皮膚を洗う際、洗顔料などの洗浄剤を泡立ててから使用すると、汚れをよく落とすことができる。特にきめ細かくしっかり泡立てた洗顔料の泡は、汚れと接触する表面積が大きくなるため、汚れをよく落とすことができる。
【０００３】
しかし、洗浄剤を手の中でしっかり泡立てるのは難しく、十分に泡立っていない洗浄剤を使用して洗顔等している人も少なくない。よく泡立っていない洗浄剤で洗浄した場合には、汚れを十分に落とすことができないという問題があった。
【０００４】
そこで、洗浄剤を泡立てるための器具がいくつか開示されている。
【０００５】
洗顔料を泡立てるための泡立て具として、特許文献1には、直径0.08〜0.3mm、長さが60〜120mmの合成樹脂の糸を600〜1200本束ねて基部を固定し、該固定した基部に指でつかむことのできるツマミを取り付けた泡立て具が開示されている。そしてこの糸の材質としては、ナイロンが適していることが記載されている。この泡立て具は、糸の部分を濡らして掌に持ち、洗顔剤をつけて手の中で揉んだり擦ったりすることにより泡立てるものである。
【０００６】
また、特許文献2には、長寸の獣毛と、これより1.5％〜2.0％短い短寸の獣毛と、人工毛とがほぼ同量に混合された毛束をハンドル部に固着した洗顔ブラシにおいて、人工毛の長さが長寸の1.0〜0.5倍の長さに分布している洗顔ブラシが開示されている。この洗顔ブラシは、毛の部分を直接肌に当てて肌の上で石けんを泡立てて毛穴の汚れを洗浄するためのものである。
【０００７】
これらの泡立て具は、手の上や肌の上で洗浄剤を泡立てるものであり、きめ細かくしっかり泡立てられるかどうかが個人の器用さに左右されてしまう。また、手を負傷している場合など手で泡立てることができない場合もある。そのため、容器の中などで洗浄剤を泡立てることが効果的あるいは必要となる場合もある。しかし、手の上や肌の上で泡立てることを目的とした泡立て具は毛が柔らかいため、容器の中では洗浄剤を十分に泡立てることが難しい。
【先行技術文献】
【特許文献】
【０００８】
【特許文献１】特開２０００−２０１７４３号公報
【特許文献２】特開２００７−２３６７１５号公報
【発明の概要】
【発明が解決しようとする課題】
【０００９】
洗顔料などの洗浄剤を、手の上や肌の上だけでなく、容器の中などにおいても、よりきめ細かくしっかりと泡立てることができる泡立て具が必要とされている。
【００１０】
そこで本発明は、洗浄剤をきめ細かくしっかりと泡立てることができる泡立て具を提供することを目的とする。
【課題を解決するための手段】
【００１１】
上記の課題を解決するために、本発明は、支持部と、上記支持部に固定された複数の細長い柔軟性部材とを備え、上記柔軟性部材は、物体に対し押し当てられたときに上記物体の表面に沿って曲がる、洗浄剤を泡立てるための泡立て具を提供する。
【００１２】
また本発明は、上記泡立て具において、上記支持部が、上記柔軟性部材を固定する固定部と、持ち手部と、上記持ち手部を上記固定部に対し自在に傾かせることが可能なように連結する連結部とを備える泡立て具を提供する。
【００１３】
また本発明は、上記泡立て具において、上記柔軟性部材がシリコーン樹脂からなる泡立て具を提供する。
【００１４】
また本発明は、上記泡立て具において、上記柔軟性部材の太さが3mm以上10mm以下である泡立て具を提供する。
【００１５】
また本発明は、上記泡立て具において、上記柔軟性部材の長さが5cm以上20cm以下である泡立て具を提供する。
【００１６】
また本発明は、上記泡立て具において、上記連結部がシリコーン樹脂からなる泡立て具を提供する。
【発明の効果】
【００１７】
本発明に係る泡立て具は、洗浄剤をきめ細かくしっかりと泡立てることができる。
【図面の簡単な説明】
【００１８】
【図１】本発明の泡立て具の一実施形態を示す図。
【図２】本発明の泡立て具の一実施形態の一部分を示す図。
【図３】本発明の泡立て具の使用態様を表す図。
【図４】先端部を太くした形状の本発明の泡立て具の一実施形態を示す図。
【発明を実施するための形態】
【００１９】
本発明の泡立て具は、洗浄剤を泡立てるための器具である。洗浄剤は、泡立ててから使用する洗浄剤であることができ、たとえば洗顔料および全身洗浄剤などの皮膚洗浄剤、薬用石けん、洗濯用石けん、並びに台所用石けんを含む。洗浄剤の形態は、特に限定されず、液体状、固体状、クリーム状、ジェル状および粉末状などであることができる。
【００２０】
本発明の泡立て具は、支持部と、支持部に固定された複数の柔軟性部材とを備える。
【００２１】
柔軟性部材は、柔軟性を有する細長い部材であり、複数が束ねられて支持部に固定されている。柔軟性部材は、物体に対し押し当てられたときに物体の表面に沿って曲がるように変形可能な柔軟性を有する。たとえば、柔軟性部材は、物体に対し垂直に押し当てられたときに物体の表面に沿って広がるように変形可能な柔軟性を有する。また、柔軟性部材は、物体の表面に沿って広がるときに、一様に放射状に広がるように変形可能な柔軟性を有することができる。柔軟性部材は、このような柔軟性を有するため、たとえば洗浄剤の入った容器の内壁に押し当てられたときに内壁に沿って曲げることができる。また、柔軟性部材は、柔軟性部材を洗浄剤に押し当てたとき、柔軟性部材が効率よく洗浄剤と接触することができる。また、柔軟性部材は、攪拌時に、洗浄剤を含む溶液を効率よく攪拌することができると共に、空気を効率よく含めることができる。そして、柔軟性部材は、内壁との間で繰り返し擦られることにより、洗浄剤を十分に泡立てることができる。
【００２２】
柔軟性部材は、上述したような柔軟性を有していればよく、特に限定されないが、合成樹脂、たとえばシリコーン（silicone）樹脂またはこれを含む材料からなっていてもよい。シリコーン樹脂とは、シロキサン結合（Ｓｉ−Ｏ−Ｓｉ）の主骨格を有する高分子のポリマーを主成分とする樹脂である。シリコーン樹脂は、たとえば市販されているシリコーンゴムを使用してもよい。また、シリコーンゴムは、硬度20°から80°までのいずれの材料であってもよく、柔軟性部材の長さ、厚みおよび太さに応じて、泡立ちのよい適切な硬度のシリコーンゴムを使用することができる。
【００２３】
柔軟性部材は、特に限定されず、たとえば細長い円柱形状、短冊形状および麺形状などの任意の形状であることができる。柔軟性部材の断面は、特に限定されず、円、楕円、正方形、長方形および多角形などの任意の形状であることができる。
【００２４】
柔軟性部材の太さは、特に限定されないが、たとえば3〜10mmであってもよい。柔軟性部材としてシリコーンゴムを使用する場合、その太さは5mm程度である時に操作もし易く、また効果的に泡立てることができる。ここで「柔軟性部材の太さ」とは、柔軟性部材を横から見たときの幅をさし、たとえば柔軟性部材の断面が円であればその直径、楕円であればその長径、四角形であればその最も長い辺の長さであってもよい。
【００２５】
柔軟性部材の長さは、使用する容器の大きさなどによって適宜設定することができ、特に限定されないが、たとえば3〜20cmであってもよい。柔軟性部材は、長い方が洗浄剤を効果的に泡立てることができるが、10cm程度の長さが操作もし易く、また効果的に泡立てることができる。全ての柔軟性部材の太さおよび長さが同一であってもよいし、太さまたは長さのいずれかまたは両方が互いに異なっていてもよい。
【００２６】
泡立て具の柔軟性部材の数は、特に限定されない。たとえば、泡立て具は、10〜100本の柔軟性部材の束を備えることができる。
【００２７】
支持部は、柔軟性部材を支持する部材である。支持部は、柔軟性部材を安定して支持することができる形状であればいかなる形状でもよく、棒状、円柱状、角柱状および球状などであってもよい。また、支持部は、手で持ちやすい形状であることができる。支持部は、任意の材料により構成することができる。たとえば、支持部は、合成樹脂、木材および金属などを用いることができる。また、支持部は、上記柔軟性部材と同じシリコーンゴムであってもよい。支持部の長さは、たとえば1〜20cmであってもよい。支持部が10cm程度の長さであれば、持ちやすく、操作もし易い。
【００２８】
支持部は、重量のある材料を使用し、または重りとなる材料を使用することにより、重くしてもよい。たとえば、支持部は、上記のシリコーンゴムを用いて、これを固く巻き付けることによって作製することができる。この場合、本発明の泡立て具を立てて置いた際に、安定させることができる。また、支持部は、柔軟性部材が固定された側と反対側の先端部を太くした形状であることもできる。この場合、先端部を下に、および柔軟性部材を上にして、本発明の泡立て具を立てて置くことができる。
【００２９】
支持部は、固定部と、持ち手部と、連結部とを備えていてもよい。固定部は、柔軟性部材を固定する部材である。持ち手部は、泡立て具を使用するときに手などでつかむための部材である。連結部は、持ち手部を固定部に連結させる部材である。
【００３０】
固定部は、柔軟性部材を固定することができればいかなる形状でもよく、たとえば棒状、円柱状、角柱状および球状であってもよい。固定部は、柔軟性部材を安定して支持することができる強度を有していれば特に限定されず、任意の材料により構成することができ、たとえば合成樹脂、木材および金属などを用いることができる。また、固定部は、上記柔軟性部材と同じシリコーンゴムであってもよい。固定部の長さ、すなわち柔軟性部材が固定される部位から連結部に結合する部位までの長さは、特に限定されないが、持ち手部の長さより短い方が泡立て具を操作しやすい。固定部の長さは、たとえば0.5〜3cmであってもよい。固定部の長さが2cmであり、持ち手部よりも短いと、しっかりと柔軟性部材を固定することができるとともに、操作性もよい。
【００３１】
持ち手部は、手で持ちやすい形状であればいかなる形状でもよく、棒状、円柱状、角柱状および球状などであってもよい。持ち手部は、手で持って泡立て具を安定して操作することができる強度を有していれば特に限定されず、任意の材料により構成することができ、たとえば合成樹脂、木材および金属などを用いることができる。また、持ち手部は、上記柔軟性部材と同じシリコーンゴムであってもよい。持ち手部の長さは、たとえば5〜15cmであってもよい。持ち手部の長さが5cm程度であれば、持ちやすく、操作もし易い。
【００３２】
連結部は、持ち手部を固定部に対し自在に傾かせることが可能なように構成されている。「持ち手部を固定部に対し傾かせる」とは、固定部、連結部および持ち手部が一直線上にある状態から、連結部を支点として任意の方向に持ち手部を傾かせて、連結部および固定部を通る軸と連結部および持ち手部を通る軸とが0度を超える角度を有する状態にすることをいう。つまり持ち手部は、連結部および持ち手部を通る軸が連結部および固定部を通る軸から0度を超えて傾くことができるように構成されている。持ち手部が連結部および固定部を通る軸から傾くことができる角度は、特に限定されないが、たとえば90度、60度、45度、30度、20度および10度以下であってもよい。持ち手部は、全方向に傾かせることが可能なように構成されていてもよいし、限られた方向にのみ傾かせることが可能であってもよい。
【００３３】
連結部は、たとえば柔軟性、可撓性または弾性を有する材料により構成され、それによって持ち手部を固定部に対し自在に傾かせることを可能にしてもよい。また、連結部は、自由に曲がることができる構造を有し、それによって持ち手部を固定部に対し自在に傾かせることを可能にしてもよい。このような材料および構造としては、公知の材料および構造を使用することができる。たとえば連結部は、特に限定されないが、合成樹脂、たとえばシリコーン樹脂またはこれを含む材料からなっていてもよい。シリコーン樹脂としては、上述した柔軟性部材について例示したものと同様のものを用いることができる。また、連結部は、たとえば蛇腹構造または筒状の構造を有していてもよい。
【００３４】
連結部は、上記のように自在に傾かせることができるため、持ち手部を持って攪拌動作をすることにより、容易に柔軟性部材を使って洗浄剤を攪拌することができる。また、連結部は、柔軟性を有するため、このような連結部を有していない場合と比較して、容易かつ効率的に柔軟性部材をどうさせることができる。したがって、連結部を有していない場合と比較して、効率よく洗浄剤をきめ細かくしっかりと泡立てることができる。
【００３５】
本発明の泡立て具は、洗浄剤を入れた容器の内壁または容器内の洗浄剤に柔軟性部材がふれるように押し付けて攪拌動作をすることにより、洗浄剤を容易に泡立てることができる。たとえば、本発明の泡立て具の柔軟性部材で内壁を擦るように動かすことにより、洗浄剤をきめ細かくしっかりと泡立てることができる。
【００３６】
本発明は上述した実施形態に限定されるものではなく、請求項に示した範囲で種々の変更が可能である。
【実施例】
【００３７】
以下に実施例を示し、本発明の実施の形態についてさらに詳しく説明するが、本発明は以下の実施例に限定されるものではない。
【００３８】
図1〜3に示す泡立て具1を作製した。図1に示すように、泡立て具1は、支持部12と、支持部12に固定された複数の細長い柔軟性部材11とを備えている。支持部12は固定部13、連結部14および持ち手部15を備えている。
【００３９】
図1および図2に示すように、柔軟性部材11は、市販のシリコーンゴムを用いて細長い麺形状に形成した。柔軟性部材11の幅11Wは約5mmであり、長さ11Lは約10cmであった。この柔軟性部材11を20本束ねて固定部13に固定した。
【００４０】
支持部12は、全体が略円柱形状となっており、長さ12Lは約10cm、幅（太さ）12Wは約2cmであった。固定部13は、柔軟性部材と同じ市販のシリコーンゴムを用いて、これを固く巻き付けて長さ約2cmに形成した。持ち手部15は、柔軟性部材と同じ市販のシリコーンゴムを用いて長さ約5cmに形成した。
【００４１】
連結部14は、柔軟性部材と同じ市販のシリコーンゴムを用いて、図1に示すように蛇腹構造となるように形成した。連結部14の長さは、約3cmに形成した。連絡部14は、持ち手部15を固定部13に対し任意の方向に自在に傾かせることが可能な柔軟性を有していた。
【００４２】
泡立て具1は、図3に示すようにボウル型の容器21に石けんを入れて使用した。容器内の石けんが泡立っていない状態では、容器21を傾けて、また泡立て具1も容器21の内壁に沿って傾けて攪拌することにより、容易に泡立てることができた。また、泡立て具1の柔軟性部材11を容器の内壁に押し当てると、内壁に沿って柔軟性部材11が撓み、放射状に一様に広がった。柔軟性部材11が内壁と接触する状態で、持ち手部15を持って柔軟性部材11で内壁を擦るように攪拌したところ、洗浄剤を効果的に泡立てることができた。また、従来のように手によって泡立てる場合と比較して、非常に迅速に石けんを泡立てることができた。
【００４３】
支持部12の先端部16を太くした形状の泡立て具1の例を図4に示す。柔軟性部材11が固定された側と反対側の先端部16を太くすることにより、図4に示したように柔軟性部材11を上に向けて、本発明の泡立て具1を立てて置くことができる。また、支持部12は、シリコーンゴムを用いて形成することにより、十分な重量とすることができるため、安定して立てておくことができる。
【産業上の利用可能性】
【００４４】
本発明は、洗浄剤をきめ細かく、しっかりと、かつ迅速に泡立てることができる。したがって、本発明は、化粧品、医薬および生活用品などの洗浄剤を泡立てるための泡立て具などに好適に利用できる。
【符号の説明】
【００４５】
1・・・泡立て具
11・・・柔軟性部材
12・・・支持部
13・・・固定部
14・・・連結部
15・・・持ち手部
16・・・先端部
21・・・容器
【図１】
2015123173.tif 000003
【図２】
2015123173.tif 000004
【図３】
2015123173.tif 000005
【図４】
2015123173.tif 000006